(57)【要約】【課題】反射部材による演出効果の向上を実現可能な遊技機を提供すること。【解決手段】第一位置と第二位置との間を移動可能である可動部材１０と、前記可動部材１０に対して変位自在に支持された、反射材料で形成された反射部２１を表面の少なくとも一部に有する反射部材２０と、を備え、前記可動部材１０が前記第一位置に位置するときよりも、前記可動部材２０が前記第二位置に位置するときの方が、前記可動部材２０に覆われずに露出する前記反射部２１の領域が大きくなる遊技機１とする。【選択図】図４
2016174918.tif 000002
【特許請求の範囲】
【請求項１】
第一位置と第二位置との間を移動可能である可動部材と、
前記可動部材に対して変位自在に支持された、反射材料で形成された反射部を表面の少なくとも一部に有する反射部材と、
を備え、
前記可動部材が前記第一位置に位置するときよりも、前記可動部材が前記第二位置に位置するときの方が、前記可動部材に覆われずに露出する前記反射部の領域が大きくなるように構成されており、
前記可動部材は、光透過材料で形成された光透過部を有し、
前記可動部材が前記第一位置に位置するとき、前記反射部の少なくとも一部は当該光透過部の後方に位置することを特徴とする遊技機。
【請求項２】
前記可動部材が前記第二位置に位置するとき、当該可動部材に支持された反射部材に隣接する位置に位置することが可能な発光部材を備えることを特徴とする請求項１に記載の遊技機。
【請求項３】
各々に前記反射部材が支持された前記可動部材が複数設けられ、
当該複数の可動部材が前記第二位置に位置したときにおいて、各可動部材に支持された前記反射部材における反射部の前側の面は、互いの間隔が後方から前方に向かって広がるように傾斜している部分を含むことを特徴とする請求項１または請求項２に記載の遊技機。
【請求項４】
複数の可動部材が前記第二位置に位置したときにおいて、複数の前記反射部が並ぶことによって環状の反射面の少なくとも一部が構築され、
当該環状の反射面は、後方から前方に向かって広がる形状となる部分を含むことを特徴とする請求項３に記載の遊技機。
【発明の詳細な説明】
【技術分野】
【０００１】
本発明は、反射部材を備えた遊技機に関する。
【背景技術】
【０００２】
例えば、下記特許文献１等に記載されるように、光による演出効果を高めるため、反射部材を用いた遊技機が種々知られている。
【先行技術文献】
【特許文献】
【０００３】
【特許文献１】特開２０１４−１１０９７１号公報
【発明の概要】
【発明が解決しようとする課題】
【０００４】
上記特許文献１に記載の技術は、反射部材のモータ等の駆動手段を用いずに、回転灯のような光による演出を実行可能とするものである。つまり、光源からの光を反射させる反射部材自体があたかも光源のように振る舞うようにした（光源の代用として反射部材を設けた）ものである。このように、この種の遊技機は、反射部材が光源であるかのように振る舞うことで、光源の削減、装置の小型化を実現しようとするものであり、反射部材による直接的な演出効果の向上を図ったものではない。
【０００５】
本発明が解決しようとする課題は、反射部材による演出効果の向上を実現可能な遊技機を提供することにある。
【課題を解決するための手段】
【０００６】
本発明にかかる遊技機は、一または複数の光源と、第一位置と第二位置との間を移動可能である可動部材と、前記可動部材に対して変位自在に支持された、反射材料で形成された反射部を表面の少なくとも一部に有する反射部材と、を備え、前記可動部材が前記第一位置に位置するときよりも、前記可動部材が前記第二位置に位置するときの方が、前記可動部材に覆われずに露出する前記反射部の領域が大きくなるように構成されており、前記可動部材は、光透過材料で形成された光透過部を有し、前記可動部材が前記第一位置に位置するとき、前記反射部の少なくとも一部は当該光透過部の後方に位置することを特徴とする。
【０００７】
上記発明によれば、可動部材が移動することにより、当該可動部材に覆われる反射部の領域の大きさが変化する。つまり、可動部材の移動とともに、光の状態が変化するという趣向性の高い演出を実行することが可能である。
また、光透過部の後方に位置する反射部によって、光透過部が装飾されたかのような装飾形態が構築される。つまり、反射部を、光透過部を装飾する要素としても利用することが可能である。
【０００８】
前記可動部材が前記第二位置に位置するとき、当該可動部材に支持された反射部材に隣接する位置に位置することが可能な発光部材を備えるとよい。
【０００９】
このような構成とすれば、可動部材に覆われずに露出する反射部の領域が大きくなった状態で発光部材を発光させることにより、発光部材から出射された光が反射部によって反射されることとなるから、発光部材による発光効果（見かけ上の発光効果）を高めることが可能となる。
【００１０】
各々に前記反射部材が支持された前記可動部材が複数設けられ、当該複数の可動部材が前記第二位置に位置したときにおいて、各可動部材に支持された前記反射部材における反射部の前側の面は、互いの間隔が後方から前方に向かって広がるように傾斜した部分を含むとよい。
【００１１】
複数の可動部材が前記第二位置に位置したときにおいて、複数の前記反射部が並ぶことによって環状の反射面の少なくとも一部が構築され、当該環状の反射面は、後方から前方に向かって広がる形状となる部分を含むとよい。
【００１２】
このような構成とすれば、反射部によって反射された光の態様が遊技者側に向かって広がるようなものとすることが可能である。発光源の発光量が少ない場合には、発光源によって生じる限られた光を遊技者が認識可能な光として効率よく利用することが可能である。
【発明の効果】
【００１３】
本発明によれば、反射部材によって演出効果を向上させることが可能である。
【図面の簡単な説明】
【００１４】
【図１】本発明の一実施形態にかかる遊技機の正面図であり、可動部材が第一位置に位置した状態を示したものである（発射装置（発射ハンドル）等公知の部材は省略）。
【図２】遊技盤の後方に設けられたセンターベースおよびそれに支持された可動ユニットを示した図であって、可動部材が第二位置に位置するとともに反射部材が第二状態となり、発光部材が演出位置に位置した状態（発光部材の周囲を囲むように反射部材が環状に並んだ演出態様（環状の反射面）が構築された状態）を示した図である。
【図３】可動部材および第一状態にある反射部材を示した図である。
【図４】可動部材および第二状態にある反射部材を示した図である。
【図５】可動ユニット（右横に設けられたもの）の正面図であって、可動部材が第一位置に位置した状態を示したものである。
【図６】可動ユニット（右横に設けられたもの）の正面図であって、可動部材が第二位置に位置した状態を示したものである。
【図７】可動ユニット（右横に設けられたもの）の背面図であって、可動部材が第一位置に位置した状態を示したものである。
【図８】可動ユニット（右横に設けられたもの）からユニットベースおよび中継プレート３４１を取り外したものの背面図であって、可動部材が第一位置に位置した状態を示したものである。
【図９】可動ユニット（右横に設けられたもの）からユニットベースおよび中継プレート３４１を取り外したものの背面図であって、可動部材が第二位置に位置した状態を示したものである。
【図１０】演出位置に位置する発光部材の周囲を囲むように第二状態にある複数の反射部材が環状に並んだ演出態様（環状の反射面）が構築された状態における断面を示した模式図である。
【図１１】離れて位置する第二状態にある複数の反射部材と発光部材によって一体的な演出形態が構築される例を示した模式図である。
【発明を実施するための形態】
【００１５】
以下、本発明にかかる実施形態について図面を参照して詳細に説明する。なお、以下の説明における平面方向とは遊技領域９０２に沿う（平行な）方向を、前後方向とは遊技領域９０２に直交する方向（遊技者側を前、その反対側を後とする）を、左右方向（幅方向）とは図１の左右方向を、上下方向とは図１の上下方向をいうものとする。
【００１６】
まず、図１を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００１７】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００１８】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１９】
このような遊技機１では、発射装置（図示省略）を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。なお、本実施形態にかかる遊技機１は、いわゆるぱちんこ遊技機であるが、以下で説明する構成は、スロットマシン等、他の種類の遊技機にも適用可能である。
【００２０】
以下、本実施形態にかかる遊技機１が備える可動ユニット１ａについて、図１〜図１０を参照して詳細に説明する。可動ユニット１ａは、可動部材１０および反射部材２０を備える。後述するように、本実施形態にかかる遊技機は、このような可動ユニット１ａを複数（右横、右下、左横、左下に設けられたもの（図２参照））備えるものであるが、各可動ユニット１ａの基本的な構成は同じであるため、以下では一の可動ユニット１ａ（右横に設けられたもの）を詳細に説明し、その他の可動ユニット１ａについては詳細な説明を省略する。
【００２１】
可動部材１０は、第一位置（図１に示す位置）と第二位置（図２に示す位置）との間を移動可能な部材であって、本体部１１およびそれに固定された光透過部１２を有する。駆動源３０（本実施形態ではモータ）の動力が動力伝達部材を介して本体部１１に伝達されることにより、本体部１１および光透過部１２が互いの相対位置を変化させずに変位する。本体部１１の前面には所定の装飾が施されている。
【００２２】
光透過部１２は、光透過性材料で形成されている。本実施形態における光透過部１２は、無色透明な材料で形成されている。光透過部１２の前面には、装飾となる凹凸が施されていてもよい。本実施形態では、本体部１１は外側（表示装置９１の表示領域の中央から離れる側）に位置し、光透過部１２は内側に位置する。
【００２３】
反射部材２０は、可動部材１０に対して変位自在に支持されている。可動部材１０は、反射材料で形成された反射部２１を表面の少なくとも一部に有する。本実施形態では、反射部材２０の全ての表面が反射材料で形成されたものであるが、少なくとも、詳細を後述する傾斜した部分が反射材料で形成されたものであればよい。反射材料（例えばアルミニウム）は、例えば蒸着によって母材（プラスチック）に固定化することができる。
【００２４】
反射部材２０は、可動部材１０に対してスライド自在に支持されており、それ自体が独立して動作するものではない。すなわち、可動部材１０に対する相対位置を変化させることができるものである。具体的には、前後方向において、可動部材１０に覆われる領域が相対的に大きい状態（図３参照）、すなわち露出する部分が相対的に小さい状態（以下、第一状態と称することもある）から、可動部材１０に覆われる領域が相対的に小さい状態（図４参照）、すなわち露出する部分が相対的に大きい状態（以下、第二状態と称することもある）に変化することが可能である。
【００２５】
本実施形態では、反射部材２０が第一状態にあるとき、その全体が可動部材１０に覆われる。反射部材２０の一部は可動部材１０の光透過部１２に重なるため、当該光透過部１２を通じて反射部材２０を視認することができる（図３参照）。一方、反射部材２０が第二状態にあるとき、その一部が可動部材１０に覆われずに露出する。具体的には、可動部材１０の光透過部１２側に変位し、反射部材２０の内側（先端側）に形成された反射部２１が露出する（図４参照）。反射部２１は、内側（先端側）から外側（基端側）に向かって前方に変位するように傾斜した部分（傾斜部）を一部に含み（図１０参照）、少なくともその前側の表面が反射材料によって形成されている。なお、本発明における「傾斜」は、平面であるものに限られない。内側（先端側）から外側（基端側）に向かって前方に変位するものであれば、「曲面」であってもよい。また、複数の平面が組み合わされたもの、曲率の異なる複数の曲面が組み合わされたものであってもよい。本実施形態では、反射部材２０が第一状態にあるとき、当該反射部２１が可動部材１０の光透過部１２と重なる。
【００２６】
可動部材１０を移動させ、当該可動部材１０に対して反射部材２０を変位させる可動ユニット１ａの駆動機構はどのようなものであってもよい。各可動ユニット１ａが後述するよう動作するのであれば、ある可動ユニット１ａの駆動機構とそれとは別の位置に位置する可動ユニット１ａの駆動機構が異なっていてもよい。本実施形態における駆動機構（右横に設けられた可動ユニット１ａの駆動機構）は以下の通りである。なお、当該駆動機構は、上下方向に並ぶように設けられた二組の可動部材１０・反射部材２０組（下可動部材１０ａと下反射部材２０ａからなる組と、上可動部材１０ｂと上反射部材２０ｂからなる組）を一つの駆動源３０によって動作させるための機構である。
【００２７】
駆動源３０であるモータの動力は、動力伝達機構によって可動部材１０および反射部材２０に伝達される。動力伝達機構は、一または複数の歯車、第一アーム部材３２、第二アーム部材３３、第一中継部材３４、および第二中継部材３５を有する（図５〜図９参照）。
【００２８】
ユニットのベース（以下、ユニットベース３６と称する）には、駆動源３０や各歯車が支持されている（図５〜図７参照）。当該ユニットベース３６は、遊技盤９０の後方に設けられたセンターベース８０に固定されている。一または複数の歯車のうち、最も後段に位置する歯車（出力歯車３１）には、出力軸３１１が形成されている。第一アーム部材３２には、細長い凹部または貫通孔である軸係合溝３２１が形成されており、当該軸係合溝３２１内に出力軸３１１が嵌まり込んでいる。出力軸３１１は軸係合溝３２１内をスライド自在である。また、第一アーム部材３２には、二つの被誘導軸（上被誘導軸３２２と下被誘導軸３２３）が形成されている。各被誘導軸は、ユニットのベースに形成された誘導溝（上誘導溝３６１と下誘導溝３６２）内に嵌まり込んでいる。各被誘導軸は、各誘導溝内をスライド自在である。
【００２９】
第一アーム部材３２は、その下方側端部がユニットベース３６に回動自在に支持されている（図５〜図７参照）。また、第一アーム部材３２は、その上方側端部が下可動部材１０ａに対して回動自在に接続されている（図７〜図９参照）。
【００３０】
第二アーム部材３３は、その下方側端部がユニットベース３６に回動自在に支持されている（図５〜図７参照）。また、第二アーム部材３３は、その上方側に細長い凹部または貫通孔である下作動溝３３１が形成されている（図７〜図９参照）。そして、第二アーム部材３３の下方側端部と下作動溝３３１の間の途中部位は、下可動部材１０ａに対して回動自在に接続されている（図７〜図９参照）。
【００３１】
下可動部材１０ａには、下反射部材２０ａがスライド自在に支持されている。下反射部材２０ａには、下作動突起２１ａが形成されており、当該下作動突起２１ａが上記第二アーム部材３３の下作動溝３３１内に嵌まり込んでいる。下作動突起２１ａは下作動溝３３１内をスライド自在である（図７〜図９参照）。下可動部材１０ａの上側端部と上可動部材１０ｂの下側端部は、互いに回動自在に接続されている。また、下可動部材１０ａには、一体的に変位する扇歯車部１１ａが形成されている（図７〜図９参照）。
【００３２】
第二アーム部材３３における、下可動部材１０ａに回動自在に接続された部分と下作動溝３３１の間の所定部位には、第一中継部材３４の下方側端部が回動自在に接続されている（図７〜図９参照）。第一中継部材３４の上方側端部は、上可動部材１０ｂの下側に回動自在に接続されている（本実施形態では、上可動部材１０ｂに固定される中継プレート３４１を介して接続されている）（図８、図９参照）。
【００３３】
下可動部材１０ａの扇歯車部１１ａには、第二中継部材３５の下端に形成された駆動歯車部３５１が噛み合っている（図９参照）。第二中継部材３５の上方側には、細長い凹部または貫通孔である下作動溝３３１が形成されている（図７〜図９参照）。上可動部材１０ｂには、上反射部材２０ｂがスライド自在に支持されている。上反射部材２０ｂには、上作動突起２１ｂが形成されており、当該上作動突起２１ｂが上記第二中継部材３５の上作動溝３５２内に嵌まり込んでいる。上作動突起２１ｂは上作動溝３５２内をスライド自在である（図７〜図９参照）。
【００３４】
原位置である第一位置（図５、図７、図８に示した状態）に位置する可動部材１０および反射部材２０（下可動部材１０ａ・下反射部材２０ａ組と上可動部材１０ｂ・上反射部材２０ｂ組）を動作させる場合には、駆動源３０であるモータを一方に回転（正転）させる。当該動力によって出力歯車３１が回転する。これにより、出力歯車３１に形成された出力軸３１１が、当該出力歯車３１の回転中心を中心として変位する。具体的には、出力軸３１１は上方に向かって変位する。
【００３５】
出力軸３１１は第一アーム部材３２の軸係合溝３２１に係合しているため、軸係合溝３２１内をスライドしつつ、軸係合溝３２１の上側内壁面を押圧する。これにより、第一アーム部材３２は、ユニットベース３６に回動自在に支持された箇所（下方側端部）を支点として、（前方から見て）内側に向かって回動する。第一アーム部材３２は、二つの被誘導溝（上被誘導軸３２２および下被誘導軸３２３）のそれぞれが、ユニットベース３６に形成された誘導溝（上誘導溝３６１および下誘導溝３６２）に誘導されながら回動する。
【００３６】
このように第一アーム部材３２が回動することにより、その上方側端部に接続された下可動部材１０ａが内側に向かって変位する。つまり、下可動部材１０ａが第一位置から第二位置に向かって変位する。下可動部材１０ａが変位すると、下可動部材１０ａに接続された第二アーム部材３３も変位する。具体的には、第二アーム部材３３は、ユニットベース３６に回動自在に支持された箇所（下方側端部）を支点として、（前方から見て）内側に向かって回動する。つまり、第一アーム部材３２と第二アーム部材３３が同じ方向に回動する。
【００３７】
このように第二アーム部材３３が回動すると、第二アーム部材３３の上方側端部に形成された下作動溝３３１の内壁面が下反射部材２０ａに形成された下作動突起２１ａを押す。これにより、下作動突起２１ａが下作動溝３３１内をスライドしつつ、下反射部材２０ａが下可動部材１０ａに対して内側に変位する。下可動部材１０ａの変位量は第一アーム部材３２の上端側によって規制され、下反射部材２０ａの変位量は第二アーム部材３３の上端側によって規制されるものであり、駆動源３０の単位駆動量当たりの第一アーム部材３２の上端側の変位量と第二アーム部材３３の上端側の変位量は異なっているため、下可動部材１０ａに対して下反射部材２０ａが変位する。つまり、下可動部材１０ａが第一位置から第二位置に向かって移動しつつ、当該下可動部材１０ａに対する相対位置を変化させるように下反射部材２０ａが第一状態から第二状態に向かって変位する。
【００３８】
また、第二アーム部材３３が回動すると、それに対して回動自在に接続された第一中継部材３４が回動する。第一中継部材３４が回動すると、それに接続された上可動部材１０ｂが変位する。具体的には、下可動部材１０ａは上可動部材１０ｂに対して回動自在に接続されているところ、上可動部材１０ｂは下可動部材１０ａに近づく方向に回動する。つまり、上可動部材１０ｂは、下可動部材１０ａとともに内側に向かって変位しつつ、下可動部材１０ａに対する相対位置を変化させる。
【００３９】
また、下可動部材１０ａが変位すると、それに形成された扇歯車部１１ａが変位する。これにより、扇歯車部１１ａに噛み合う駆動歯車部３５１を有する第二中継部材３５が上可動部材１０ｂに対して回動する。第二中継部材３５が回動すると、その上方側端部に形成された上作動溝３５２の内壁面が上反射部材２０ｂに形成された上作動突起２１ｂを押す。これにより、上作動突起２１ｂが上作動溝３５２内をスライドしつつ、上反射部材２０ｂが上可動部材１０ｂに対して内側に変位する。つまり、上可動部材１０ｂが第一位置から第二位置に向かって移動しつつ、当該上可動部材１０ｂに対する相対位置を変化させるように上反射部材２０ｂが第一状態から第二状態に向かって変位する。
【００４０】
このようにして、可動部材１０（下可動部材１０ａおよび上可動部材１０ｂ）は第二位置に向かって移動し、それに伴い、反射部材２０（下反射部材２０ａおよび上反射部材２０ｂ）は第二状態となるように可動部材１０に対する相対位置を変化させていく。つまり、可動部材１０が第二位置に近づくにつれて、反射部材２０の傾斜面における可動部材１０に覆われず露出する領域が大きくなっていき、可動部材１０が第二位置に到達した時点で当該領域は最大となる（図６、図９に示した状態となる）。
【００４１】
図２に示すように、本実施形態では、複数の可動部材１０および各可動部材１０に支持された反射部材２０を有する反射ユニットのそれぞれを可動部材１０が第二位置に到達するように変位させたとき、複数の可動部材１０が環状に並ぶ。それに伴い、各可動部材１０の内側で反射部材２０の反射部２１が露出するため、当該反射部２１の露出した部分も環状に並ぶ。つまり、当該反射部２１の露出した部分によって、環状の反射面が構築される。各反射部２１は、内側（先端側）から外側（基端側）に向かって前方に変位するように傾斜する形状であるため、環状の反射面は後方から前方に向かって広がる形状（断面円形のテーパ面）を含むものとなる（図１０参照）。
【００４２】
第二位置に位置する可動部材１０を第一位置に戻す（第二状態にある反射部材２０を第二状態とする）際には、モータを他方側に回転（逆転）させる。これにより、上記とは逆の流れで各部材が元の状態に戻る。
【００４３】
このように、本実施形態にかかる遊技機１では、可動部材１０が移動することにより、当該可動部材１０に覆われる反射部２１の領域の大きさが変化する。したがって、各種光源によって遊技領域を照らしつつ可動部材１０を移動させれば、可動部材１０が移動するという演出効果だけでなく、光の状態が変化するという演出効果が発現される。
【００４４】
本実施形態にかかる遊技機１は、上記可動ユニット１ａに加え、発光部材４０を備える。発光部材４０は、大部分が遊技盤９０に覆われた原位置（図１に示す位置）と、表示装置９１の表示領域に重なる演出位置（図２に示す位置）との間を往復動作可能である。このように動作することができるものであればその駆動機構はどのようなものであってもよいため、当該駆動機構の説明は省略する。
【００４５】
発光部材４０は、前方から見た外観が略円形（本実施形態では外観がミラーボールのような反球体）であって、内部に光源が設けられたもの（発光ユニット）であって、その前側の表面から前方に向けて発光する。かかる発光部材４０を演出位置に位置させた上で、上記各可動部材１０を第二位置に位置させ、各反射部材２０を第二状態とすると、発光部材４０の周囲を囲むように環状に並んだ反射部材２０（環状の反射面）が位置する状態となる。つまり、各反射部材２０の反射部２１が、発光部材４０に隣接する状態となる（図２、図１０参照）。
【００４６】
かかる状態で発光部材４０を発光させると、出射された光は、環状に並んだ反射部材２０（環状の反射面）によって反射される。つまり、単に発光部材４０単独で（周囲に反射する部材が存在しない状態で）発光させたときとは異なる発光態様となるから、発光部材４０による発光効果（見かけ上の発光効果）を高めることが可能となる。なお、本実施形態では、発光部材４０と各反射部２１が隣接した状態にあるときのみ発光部材４０が発光する可能性があるように設定されているが、発光部材４０単独で（反射部２１が隣接していない状態で）発光することもあれば、反射部２１が隣接した状態で発光することもある（遊技者の見た目上、より激しい発光態様となる）ように設定してもよい。
【００４７】
そして、本実施形態では、複数の反射部２１によって構築される環状の反射面は、後方から前方に向かって広がる部分を含む形状（図１０参照）であるから、発光部材４０から出射された光の態様が遊技者側に向かって広がるようなものとすることが可能である。発光部材４０の発光量が少ない場合には、発光源によって生じる限られた光を遊技者が認識可能な光として効率よく利用することが可能である。
【００４８】
なお、環状の反射面の一部が、本実施形態における可動ユニット１ａ（本実施形態における反射部２１）とは異なる別の装置や部材によって構築される構成であってもよい。つまり、環状の反射面の全部が、複数の本実施形態における可動ユニット１ａによって構築されるものであってもよいし、環状の反射面の一部が一または複数の本実施形態における可動ユニット１ａによって構築されるものであってもよい。本実施形態では、環状の反射面を構築する部分のうち、上側に位置する二つは、本実施形態における可動ユニット１ａとは異なるユニットによって構築されるものである。
【００４９】
一方、可動部材１０は、光透過材料で形成された光透過部１２を有し、可動部材１０が第一位置に位置するとき、すなわち反射部材２０が第一状態にあるときには、反射部２１の少なくとも一部は当該光透過部１２の後方に位置する（前後方向において重なる）。そのため、光透過部１２の後方に位置する反射部２１によって、光透過部１２が装飾されたかのような（反射材料の色によって着色されたかのような）装飾形態が構築される。つまり、反射部２１を、光透過部１２を装飾する要素としても利用することが可能である。図１に示すように、本実施形態では、光透過部１２の一部は、遊技盤９０に形成された開口９０１の縁よりも内側に位置するため、常に遊技者に視認可能な状態にある。したがって、このように光透過部１２が装飾（着色）されたかのようにする意義は大きい。
【００５０】
以上、本発明の実施の形態について詳細に説明したが、本発明は上記実施の形態に何ら限定されるものではなく、本発明の要旨を逸脱しない範囲で種々の改変が可能である。
【００５１】
上記実施形態では、各可動部材１０を第二位置に位置させ、各反射部材２０を第二状態とすることにより、各反射部２１が環状に並び、当該各反射部２１によって環状の反射面が構築されることを説明したが、このような環状の反射面が構築される構造でなくてもよい。例えば、図１１に示すように、各可動部材１０を第二位置に位置させ、各反射部材２０を第二状態としたとき、各反射部２１が互いに離れた状態にあってもよい。このような構成とした場合であっても、各反射部２１の形状を上記実施形態において説明した形状とすることにより、各反射部材２０を第二状態とすることで、各反射部２１は、互いの間隔が後方から前方に向かって広がる（前方に向かって裾広がりとなる）部分を含む態様を構築するため、発光源の光が遊技者に向かって広げられる。
【００５２】
また、上記実施形態では、発光部材４０の発光による演出効果が反射部材２０（反射部２１）によって高められることを説明したが、それ以外の発光源の発光による演出効果も高められる。つまり、各反射部２１は、互いの間隔が後方から前方に向かって広がる部分を含む形状であるがゆえに、その内側（上記実施形態でいえば環状の反射面の内側）に発光源が位置している場合が最も演出効果の向上作用が期待できるというだけであって、外側に発光源が位置している場合であっても一定の演出効果の向上作用が期待できる。また、遊技機設置店の照明や、他の遊技機から出射される光を反射部２１が反射することによる演出効果の向上も期待できる。また、発光部材４０を設ける場合であっても、当該発光部材４０の形状や発光態様、動作態様等は適宜変更可能である。
【００５３】
また、上記実施形態では、可動部材１０が光透過部１２を有するものであることを説明したが、このような光透過部１２を有していなくてもよい。可動部材１０が第一位置に位置するときの方が、可動部材１０が第二位置に位置するときよりも、可動部材１０に覆われる反射部材２０の反射部２１の領域が相対的に大きくなる構成であればよい。例えば、上記実施形態における光透過部１２に相当する部分が、光透過性の無い材料で形成された構成としてもよい。このような構成としても、可動部材１０の移動とともに、光の状態が変化するという趣向性の高い演出を実行することが可能である。ただし、可動部材１０が第一位置に位置するときにおける反射部２１による装飾効果を発現させる場合には、可動部材１０が第一位置に位置するときに反射部２１の少なくとも一部を覆う光透過部１２を設ける必要がある。
【００５４】
以下、上記実施形態から得られる具体的手段（遊技機）を以下に列挙する。
手段１にかかる遊技機は、一または複数の光源と、第一位置と第二位置との間を移動可能である可動部材と、前記可動部材に対して変位自在に支持された、反射材料で形成された反射部を表面の少なくとも一部に有する反射部材と、を備え、前記可動部材が前記第一位置に位置するときよりも、前記可動部材が前記第二位置に位置するときの方が、前記可動部材に覆われずに露出する前記反射部の領域が大きくなることを特徴とする。
手段１にかかる遊技機によれば、可動部材が移動することにより、当該可動部材に覆われる反射部の領域の大きさが変化する。つまり、可動部材の移動とともに、光の状態が変化するという趣向性の高い演出を実行することが可能である。
手段２にかかる遊技機は、手段１に記載の遊技機において、前記可動部材が前記第二位置に位置するとき、当該可動部材に支持された反射部材に隣接する位置に位置することが可能な発光部材を備えることを特徴とする。
手段２にかかる遊技機によれば、可動部材に覆われずに露出する反射部の領域が大きくなった状態で発光部材を発光させることにより、発光部材から出射された光が反射部によって反射されることとなるから、発光部材による発光効果（見かけ上の発光効果）を高めることが可能となる。
手段３にかかる遊技機は、手段１または手段２に記載の遊技機において、各々に前記反射部材が支持された前記可動部材が複数設けられ、当該複数の可動部材が前記第二位置に位置したときにおいて、各可動部材に支持された前記反射部材における反射部の前側の面は、互いの間隔が後方から前方に向かって広がるように傾斜した部分を含むことを特徴とする。
手段４にかかる遊技機は、手段３に記載の遊技機において、複数の可動部材が前記第二位置に位置したときにおいて、複数の前記反射部が並ぶことによって環状の反射面の少なくとも一部が構築され、当該環状の反射面は、後方から前方に向かって広がる形状となる部分を含むことを特徴とする。
手段３、４にかかる遊技機によれば、反射部によって反射された光の態様が遊技者側に向かって広がるようなものとすることが可能である。発光源の発光量が少ない場合には、発光源によって生じる限られた光を遊技者が認識可能な光として効率よく利用することが可能である。
手段５にかかる遊技機は、手段１から手段４のいずれかに記載の遊技機において、前記可動部材は、光透過材料で形成された光透過部を有し、前記可動部材が前記第一位置に位置するとき、前記反射部の少なくとも一部は当該光透過部の後方に位置するとよい。
手段５にかかる遊技機によれば、光透過部の後方に位置する反射部によって、光透過部が装飾されたかのような装飾形態が構築される。つまり、反射部を、光透過部を装飾する要素としても利用することが可能である。
【符号の説明】
【００５５】
１  遊技機
１ａ  可動ユニット
１０  可動部材（１０ａ  下可動部材  １０ｂ  上可動部材）
１１  本体部
１２  光透過部
２０  反射部材（２０ａ  下反射部材  ２０ｂ  上反射部材）
２１  反射部
３０  駆動源
４０  発光部材
【図１】
2016174918.tif 000003
【図２】
2016174918.tif 000004
【図３】
2016174918.tif 000005
【図４】
2016174918.tif 000006
【図５】
2016174918.tif 000007
【図６】
2016174918.tif 000008
【図７】
2016174918.tif 000009
【図８】
2016174918.tif 000010
【図９】
2016174918.tif 000011
【図１０】
2016174918.tif 000012
【図１１】
2016174918.tif 000013